(57)【特許請求の範囲】
【請求項１】
電気的な接続エレメントであって、差込み区分（１２）及び、リッツ線ケーブルへの接触のための接続端部（１３）を備えている形式のものにおいて、差込み区分（１２）と接続端部（１３）との間に皿形のストッパ（１６）を設けてあり、前記接続端部（１３）が、鋸歯状に成形された輪郭部（１４）を有し、該鋸歯状輪郭部に、差込み方向に対して垂直な歯面（１５）を備えており、前記接続端部（１３）に、ばね弾性的なスリーブ（２０，２０′）を被せはめてあり、該スリーブ（２０，２０′）がくさび部材（４０，４０′）によって拡張されるようになっており、前記接続端部（１３）と前記スリーブとの間の間隙内へ前記ストッパ（１６）に達するまで挿入されたリッツ線ケーブルのリッツ線が、前記くさび部材の除去の後に、前記ばね弾性的なスリーブ（２０，２０′）によって半径方向に作用する力で前記鋸歯状の輪郭部（１４）に押し付けられるようになっていることを特徴とする、電気的な接続エレメント。
【請求項２】
スリーブ（２０）が、ばね弾性的な材料から成形されて１つの縦方向スリット（２１）を有しており、該スリーブに、該スリーブから半径方向外側へ向けられた一体的な２つの側方ストリップ（２２）が設けられれている請求項１記載の電気的な接続エレメント。
【請求項３】
スリーブ（２０）が一方の側に漏斗形の開口（２３）を有しており、該開口が側方ストリップ（２２）の領域でくさび開口（２４）として形成されている請求項１又は２記載の電気的な接続エレメント。
【請求項４】
スリーブ（２０′）が板金材料から丸め成形されており、スリーブの、ピン接点若しくはソケット接点の接続端部（１３）に被せはめられる端部が、該スリーブの周壁区分（２５，２６）を互いにオーバーラップさせて配置するように形成されており、内側に位置する周壁区分（２５）の縁部が外側に位置する周壁区分（２６）に対してばね弾性的に圧着されており、かつ前記スリーブの他方の端部に、側方へ向けられた耳状片を一体成形してあり、該耳状片が折り曲げられて、差込み方向でくさび形の開口（２４′）を形成している請求項１記載の電気的な接続エレメント。
【請求項５】
請求項１から４までのいずれか１項記載の電気的な接続エレメントの収容のためのケーシングにおいて、ケーシング（１）が二部構造で形成されていて、差込み側のケーシング部分（２）及び接続側のケーシング部分（３）から成っており、差込み側のケーシング部分（２）の内部に、ピン接点（１０）の収容のための切欠き（５，６）が設けられていることを特徴とする、電気的な接続エレメントの収容のためのケーシング。
【請求項６】
ケーシング部分（３）内に、漏斗状に配置された複数の薄片（３２）を設けてあり、該薄片がスリーブ（２０，２０′）の収容のための開口（３１）内へ突出している請求項５記載のケーシング。
【請求項７】
ケーシング部分（３）内に案内（３５）が設けてられており、該案内によってくさび部材（４０）の案内部（４４）が案内されている請求項５又は６記載のケーシング。
【請求項８】
くさび部材（４０）が、目標破断箇所として形成された薄肉のウェブ（４１）を介してケーシング部分（３）に結合されている請求項５から７までのいずれか１項記載のケーシング。
【請求項９】
くさび部材（４０）が、案内部（４４）に対して９０゜を成して突出する端部片（４５）を有しおり、該端部片が、ケーシング部分（３）の案内（３５）に対して斜めにケーシング部分（３）内に成形された切欠き（３６）に係合している請求項５から８までのいずれか１項記載のケーシング。
【請求項１０】
くさび部材（４０）が、別体の部分として形成されている請求項５から９までのいずれか１項記載のケーシング。
【請求項１１】
電気的な接続エレメントであって、差込み区分（１２）及び、リッツ線ケーブルへの接触のための接続端部（１３′）を備えている形式のものにおいて、接続端部（１３′）が、鋸歯状に成形された輪郭部（１４）を有していて、該鋸歯状の輪郭部に、差込み方向に対して垂直な歯面（１５）を備えており、前記接続端部（１３′）に、ばね弾性的なスリーブ（５０）を被せはめてあり、該スリーブ（５０）が、相互に９０゜の角度間隔に配置されて軸方向に延びる２つのスリット（５３）を有していて、これによってセグメント区分（５４）を形成しており、該セグメント区分が後方の端部（５２）まで達しており、前記セグメント区分の、前記スリーブの内室へ向けられた部分にフック状の成形部（５５）を形成してあり、該フック状の成形部が、前記スリーブを前記差込み区分（１２）と前記接続端部（１３）との間に設けられた皿形のストッパ（１６）に達するまで被せはめた状態で、前記スリーブの横断面の収縮のために前記接続端部に設けられた狭窄部内に滑り込み、これによって前記スリーブを前記接続端部に保持していることを特徴とする、電気的な接続エレメント。
【請求項１２】
ピン接点（１０）の接続端部（１３′）が、平行に延びる区分（１７）、狭窄部（１９）並びに係止リング（１８）を備えている請求項１１記載の電気的な接続エレメント。
【発明の詳細な説明】
【０００１】
【発明の属する技術分野】
本発明は、電気的な接続エレメント、特にピン接点若しくはソケット接点として構成されて絶縁性のケーシング内に配置された接続エレメント（接続機構若しくは接続部材）であって、差込み区分及びリッツ線ケーブル（リッツ線導電体）への接触のための接続端部を備えている形式のもの、並びにこの種の接続エレメントの収容のためのケーシングに関する。
【０００２】
【従来の技術】
前記形式の接続エレメント（接続機構若しくは接続部材）は、多数本のリッツ線若しくは心線から成る導電体若しくは導電ケーブルと、電気的な接点ピン若しくは接点ソケットの接続端部との間の電気的な接続を行うために用いられ、この場合、特殊な工具を不要にすることが求められる。
【０００３】
電気的な導電体と接点エレメントとの接続のために、一連の接続原理、例えばろう接、ねじ接続、ケージ形引張りばね接続、若しくはクリンプ接続のような接続技術が公知である。
【０００４】
この場合に欠点として、産業上の接続技術における種々の接続原理、例えばろう接は、常に経費の嵩むことの理由で排除され、ねじ接続並びにケージ形引張りばね接続は比較的大きな所要スペースを必要とし、かつクリンプ接続は専用工具を必要とする。
【０００５】
【発明が解決しようとする課題】
本発明の課題は、冒頭に述べた形式の接続エレメントを改良して、導電体と接続エレメントとの間の接続技術を実現するに当たって、接続エレメントが、クリンプ接続による接続部と少なくとも比較可能な接点接触データ、例えば接点抵抗及び気密な接点を有し、クリンプペンチのような専用工具を必要としないようにすることである。本発明のさらなる課題が、電気的な接続エレメントの収容のためのケーシングを改良して、製作が簡単でかつ接続エレメントを内部に確実に保持できるようにすることである。
【０００６】
前記課題を解決するために本発明の１つの構成では、接続エレメントの差込み区分と接続端部との間に皿形のストッパを設けてあり、前記接続端部が、鋸歯状に成形された輪郭部を有し、該鋸歯状輪郭部に、差込み方向に対して垂直な歯面（フランク）を備えており、前記接続端部に、ばね弾性的なスリーブを被せはめてあり、該スリーブがくさび部材によって拡張若しくは拡開されるようになっており、前記接続端部と前記スリーブとの間の間隙内へ前記ストッパに達するまで挿入された導電体若しくはリッツ線ケーブルのリッツ線が、前記くさび部材の除去の後に、前記ばね弾性的なスリーブによって半径方向に作用する力で前記鋸歯状の輪郭部に押し付けられるようになっている。本発明の有利な実施態様が請求項２乃至４に記載してある。
【０００７】
前記課題を解決するために本発明の別の構成では、接続エレメントの接続端部が、鋸歯状に成形された輪郭部を有し、該鋸歯状輪郭部に、差込み方向に対して垂直な歯面を備えており、前記接続端部に、ばね弾性的なスリーブを被せはめてあり、スリーブが相互に９０゜の角度間隔に、即ち互いに直交して配置されて軸方向に延びる２つのスリットを有していて、これによってセグメント区分を形成しており、該セグメント区分が後方の端部まで達しており、前記セグメント区分の、前記スリーブの内室へ向けられた部分にフック状の成形部を形成してあり、該フック状の成形部が、前記スリーブを前記差込み区分と前記接続端部との間に設けられた皿形のストッパに達するまで被せはめた状態で、前記スリーブの横断面の収縮のために前記接続端部に設けられた狭窄部内に滑り込み、これによって前記スリーブを前記接続端部に保持している。該構成の有利な実施態様が請求項１２に記載してある。
【０００８】
電気的な接続エレメントの収容のためのケーシングにおける前記課題を解決するために本発明の構成では、ケーシングが二部構造で形成されていて、差込み側のケーシング部分及び接続側のケーシング部分から成っており、差込み側のケーシング部分の内部に、ピン接点の収容のための切欠き若しくは貫通部が設けられている。該構成のケーシングの有利な実施態様が請求項６乃至１０に記載してある。
【０００９】
【発明の効果】
本発明によって得られる利点は特に、ピン接点若しくはソケット接点として構成された接続エレメントが鋸歯状の接続端部を備えており、接続端部が、ばね弾性的なスリーブによって取り囲まれていることにある。多数の心線若しくはリッツ線から成っていて接続端部とスリーブとの間に挿入された導電体若しくは導電ケーブルが、スリーブのばね力の作用によって、接続端部の鋸歯状の輪郭部の歯先に永続的に押し付けられ、従って、接点素子と導電ケーブルとの間に、クリンプ結合部（圧着コンタクト）の場合のように、ほぼ一様な強度及び接触確実性をもって形成される耐振性の結合部が得られ、かつ組立のために特殊なクリンプ・ペンチ工具が全く不要である。
【００１０】
さらに利点として、本発明の接続エレメントのための導電体の接続横断面が、クリンプ接続の場合よりも大きなバリエーション領域を有している。差込みケーシング内の所定のスペースに、例えばケージ形引張りばねの使用の場合よりも多数の接点を収容することが可能である。この場合に有利な接続過程では、１つの縦方向スリットを有するスリーブが、くさび部材を縦方向スリット内に挿入することによって拡大され、即ちスリーブの直径を広げられ、これによって接続端部とスリーブとの間に導電体のリッツ線が挿入されるようになる。くさび部材を除去すると、ばね弾性的なスリーブが導電体のリッツ線を、鋸歯状に形成された接続領域若しくは接続端部の歯部上に若しくは歯溝に押し付け、その結果、歯部の歯先が導電体内に食い込み、これによってスリーブからの導電体の引き抜き若しくは引き出しがほぼ不可能になっている。さらに有利には、複数の接続部を有する差込みケーシング内にすでに固定された導電体若しくはまだ固定されていない導電体に対する視覚的な信号が得られ、即ち、くさび部材がケーシングから突出している場合には、該くさび部材に対応する導電体が接点ピン若しくは接点ソケットに結合（接続）されていることを意味する。この場合に有利には、くさび部材の色がケーシングの色と異なっている。
【００１１】
別の実施態様の接続エレメントは、接点ピン若しくは接点ソケットをスリーブと一緒に、公知の差込みコネクタケーシング内へ直接に差し込みできるように形成されている。さらに、丸め成形されたスリーブを有する実施態様では、両方の周壁区分が互いにオーバーラップするように配置されており、スリーブの一方の端部に形成されたくさび開口内に、ねじ回しの先端部が差し込まれて、スリーブの直径が拡大されるようになっている。この場合に、内側に位置する周壁区分の縁部が、丸め成形されたスリーブのばね作用によって、オーバーラップする周壁区分に沿って滑動し、従って、リッツ線がスリーブ内から外側へ達することはない。
【００１２】
本発明の接続方式によって、クリンプ接続とほぼ同等の、しかしながらクリンプ接続では達成されることのなかった有利な再分離可能な接続部が得られる。
【００１３】
【発明の実施の形態】
次に図面に基づいて本発明の実施例を詳説する。
【００１４】
図１の断面図には、個別の１つの接続エレメント（接続機構若しくは接続部品）が互いに分離した状態で示してある。該多数の接続エレメントを絶縁性の１つのケーシング内に纏めることによって、間隔を置いてかつ列をなして、即ち行列式に配置された多数の接続接点を備える周知の差込みコネクタが形成され得る。図示の実施例は、ピン接点１０として構成された１つの接続エレメントを示しており、該接続エレメントが絶縁性のケーシング１内に差し込まれており、該ケーシング自体が、互いに組合わされた２つの部分ケーシング２，３から成っている。相応のソケット接点を有する対応コネクタが、図示してないものの等価的に設けられている。
【００１５】
一方の部分ケーシング２が差込み側のケーシング部分２であり、ピン接点１０をスリーブ２０と共に挿入するための切欠き５，６を有しているのに対して、他方（第２）の部分ケーシング、即ち接続側のケーシング部分３内に、スリーブの漏斗状の側並びに漏斗形に形成された薄片３２のための切欠き３１及び導電体用の開口３３が設けられている。両方のケーシング部分は、互いに結合可能であって、かつ互いに相前後して配置されて、切欠きが互いに合致（整合）させられている。差込み側のケーシング部分２においてピン接点１０が切欠き（開口若しくは穴）５内に案内されており、該切欠きがリング状の成形部８によって延長された案内を形成している。
【００１６】
ピン接点１０は、差込み区分１２と接続端部１３との間の皿形の成形部のストッパ１６がケーシング部分２によって受け止められるまで、前記接続端部に被せはめられたスリーブ２０と一緒に、ケーシング部分２の切欠き５，６内へ押し込まれて、ピン接点１０の差込み区分１２がケーシング部分２の差込み側から再び突出する。
【００１７】
ケーシング内側の円形の切欠き６が、方形の開口７によって拡大（拡張）されており、該方形の開口内にスリーブ２０の側方ストリップ２２がコネクタ組立の状態で突入している。さらにケーシング部分２に、両方の開口（円形の切欠き６及び方形の開口７）に適合して隆起したリング輪郭９を設けてあり、該リング輪郭が、エアギャップ及び沿面距離の拡大のため並びに両方のケーシング部分２，３の相対回動不能な組付けのために役立ている。
【００１８】
さらにくさび部材４０を設けてあり、該くさび部材が１つの実施態様では、ケーシング部分の製造に際して一緒にケーシング部分の内部に成形されて、薄肉の材料結合部（ウェブ４１若しくは一体ヒンジ）によってケーシング部分３に結合されている。ウェブ４１が目標破断箇所として用いられる。別の実施態様では別体のくさび部材を設けてあり、該くさび部材が組立に際して始めてケーシング部分３内に差込まれる。
【００１９】
絶縁性のケーシングの特に図２に示す第２の部分、即ち接続側のケーシング部分３内に、貫通する１つの切欠き若しくは穴を設けてあり、該切欠きが互いに異なる機能の複数の個別開口を有している。導電体の導入のために開口３３を設けてあり、該開口が、複数の薄片３２によって漏斗状に形成された１つの開口部に接続しており、該開口部が広い切欠き３１内に突入しており、該切欠きがスリーブ２０並びにケーシング部分２のリング輪郭９の受容のために設けられている。
【００２０】
図３には、くさび部材４０が著しく拡大して示してある。くさび部材は実質的に、互いに９０゜回動されて位置する２つのストリップエレメントを有しており、ストリップエレメントがそれぞれ、くさび体４２若しくは案内部４４を形成している。案内部４４にはくさび体４２に向いた縁部領域に環状の薄肉のウェブ４１を設けてあり、該ウェブがケーシング部分３及びくさび部材４０を１回の射出成形工程で一体的に成形する場合には該射出成形工程によって形成されて、くさび部材４０をケーシング部分３の内部に確保している。案内部４４の狭幅側に係止突起４６を設けてあり、該係止突起がくさび部材４０を紛失しないようにケーシング部分３の案内３５の内部に保持するようになっている。くさび体４２の、スリーブ２０に向いた狭幅側が、斜面４７を有している。案内部４４に、直角に張出した端部片４５が一体成形してあり、該端部片を介してくさび部材４０がケーシング部分３から引き出され、若しくは該ケーシング部分内に押し込まれるようになっており、この場合、工具ドライバーの装着のための溝４８が、端部片の外側の面に設けられている。
【００２１】
くさび部材４０の機能は次の通りである：すなわち、接続エレメントの組み立てられた状態ではくさび部材が、１つの実施態様では目標破断箇所としてのウェブ４１によって接続側のケーシング部分３の内部に保持されている。この場合、くさび部材の端部片４５がケーシング部分３の外壁と同一平面を成している。ピン接点１０が、被せはめられたスリーブ２０と一緒に、組合わされたケーシング１の内部に押し込まれる。これによって、くさび体４２がスリーブ２０のくさび開口２４内に達して、該くさび開口を広げる。くさび体４２の、スリーブ２０に向いた側がスリーブ２０の内径に適合されており、従って、リッツ線の押し込みに際して個々の心線の１つも、スリーブの離隔された側方ストリップ２２間に押し込まれることはない。スリーブの内径の拡大によって導電体（導電ケーブル）のリッツ線が、ピン接点１０の接続端部１３の鋸歯状輪郭部１４とスリーブ２０との間の環状の空隙内に容易に押し込まれる。
【００２２】
リッツ線の押し込みの後に、くさび部材４０が、直角に張り出した端部片４５を引っ張ることによってケーシング部分３から除去される。このために単純な工具、例えばねじ回し（ドライバー）の先端部がケーシング部分３に成形された傾斜部３６に差し込まれて、てこの原理でくさび部材４０を押し出し、その際に、目標破断箇所としてのウェブ４１が裂断される。これによって、くさび体４２がばね弾性的に形成されたスリーブ２０の領域から外され、その結果、スリーブがもとの直径に収縮する。従って、リッツ線が鋸歯状輪郭部１４上に、若しくは鋸歯間の歯溝内へ押し付けられ、その結果、鋸歯の垂直な歯面１５の食い込みによってスリーブからの導電体の引き出し若しくは引き抜きが確実に防止される。
【００２３】
別の実施形態では、別個に製造されかつできるだけケーシング部分３と異なって着色れたくさび部材４０が、案内３５内に押し込まれて、紛失されないように係止突起４６によって保持される。
【００２４】
図４は斜視図で改めて、ピン接点１０、スリーブ２０及びくさび部材４０の構成部材から成る接続エレメントの機能形態を示している。この場合、該機構の純然たるデジタル信号的な作動特性も表しており、デジタル信号的な作動特性は、くさび体２４のくさび尖端４３が縦方向スリット２１の側方ストリップ２２間に押し込まれて、スリーブ２０を広げて（拡開して）いるか、若しくはばね弾性的に形成されたスリーブが、くさび尖端をスリーブのくさび開口２４内へ戻すことによって再びもとの状態を占めているかを意味している。
【００２５】
図５ａ及び図５ｂはケーシング部分２，３から成り個別の１つの接続エレメントを受容したケーシング１の断面を示している。該図面から明らかなように、ピン接点１０が被せはめられたスリーブ２０と一緒に、両方のケーシング部分２，３内に案内されていて、薄片３２が直径の小さい方の部分で、スリーブ２０の漏斗開口３１に接合している。これによって利点として、導電体のリッツ線がまず薄片によって集束されて、次いでピン接点の円錐形の接続端部１３にぶつかり、円錐先端の全周にわたって分配されて、スリーブ２０と接続端部１３との間の空隙内へ挿入される。図５ａに示してあるように、くさび体４２がスリーブ２０の側方ストリップ２２間に押し込まれて、これによってスリーブ直径を拡大している。次に図５ｂに示してあるように、くさび体の引き出しに際して、簡単な工具がケーシング部分３の傾斜した切欠き（凹設部）３６内に差し込まれて、くさび部材４０の端部片４５の下側に係合させられ、該工具のてこ運動によって、くさび部材４０が押し出され（引き出され）て、係止突起４６がケーシング部分３の内側の壁面に当接させられる。これによって、ばね弾性のスリーブ２０が再び、小さいもとの直径に達して、接続端部１３の鋸歯状輪郭部１４をほぼ隙間のないように包囲する。
【００２６】
図６に変化例の接続エレメントのためのスリーブ５０が示してあり、該接続エレメントは同一の原理で機能するもので、外側の構成形状を既存の差し込み機構に合わせられていて、従って、従来慣用のソケット接点若しくはピン接点のために問題なくかつ代替的に使用される。スリーブ５０は直径の小さい方の前方の端部５１と、直径の大きい方の後方の端部５２を有していてかつ、互いに直交して位置して軸方向に延びる２つのスリット５３を備えており、該スリット５３が前方の端部から後方の端部５２の直前まで達して、即ち延びており、その結果、ばね弾性的な４つのセグメント５４が生じていて、後方の端部５２によって纏められている。この場合、前方の端部５１と後方の端部５２との間の中間の区分は、直径を前方の端部５１の直径よりも小さく規定されている。前方の端部５１の、スリーブの内部へ突出する部分が、フック状の成形部５５を形成している。
【００２７】
図７にスリーブ５０が、変更されたピン接点１０の接続端部１３′に装着した状態で部分的に破断して示してある。この場合、スリーブが機械的な変位手段によって開かれており、変位手段が接続端部１３′に設けられていて、軸方向に平行に延びる区分１７によって形成されており、該区分が面取り部を介して狭窄部１９に続いている。狭窄部の直径が、スリーブの前方の端部５１のフック状の成形部５５の内径に相応しているのに対して、区分１７は大きな直径を有している。スリーブ５０が、ばね弾性的な４つのセグメント区分５４の応力の作用下で区分１７に保持されて、係止リング１８まで移動可能である。スリーブ５０と鋸歯状輪郭部１４との間に生じた空隙内に、多数のリッツ線から成る導電体若しくは導電ケーブルがストッパ１６に達するまで押し込まれ得る。
【００２８】
リッツ線の挿入の後にスリーブが、リッツ線の挿入方向と同じ方向に押し込まれて、フック状の成形部５５が狭窄部１９内に滑り込み、これによってスリーブ横断面が再び収縮して、リッツ線が鋸歯状輪郭部１４とスリーブ５０の内周壁との間で締め付けられる。
【００２９】
図８に別の変化例が示してあり、この場合、ばね弾性的な板金素材から丸め成形されて縦方向スリットを有するスリーブ２０′が、図４に示すような、スリーブ周壁から外側へ折り曲げられてスリーブの全長にわたって延びる側方ストリップ２２を有するのではなく、単純に曲げ開かれたくさび開口２４′を備えており、該くさび開口が、軸方向の短い側方ストリップ２２′を有している。スリーブ２０′はくさび開口２４′に続いてオーバーラップ部を有しており、該オーバーラップ部において、スリーブ２０の外側に位置する周壁区分２６が接線方向で、内側に位置する周壁区分２５の縁部を超えて延びており、この場合、該縁部が外側の周壁区分２６に密接している。
【００３０】
くさび部材、例えばねじ回しの先端部４０′を、くさび開口２４′内に側方ストリップ２２′に達すまで押し込むと、スリーブの直径が拡大され、これによって内側の周壁区分２５の縁部が、外側の周壁区分２６に沿って滑動し、従って両方の周壁区分間の縦方向スリットが、スリーブ内へ差し込まれるリッツ線に対して常に閉鎖されている。
【図面の簡単な説明】
【図１】接続エレメントの分解した状態での断面図。
【図２】図１の接続エレメントの斜視図。
【図３】くさび部材の斜視図。
【図４】スリーブ及びくさび部材並びにピン接点の斜視図。
【図５ａ】くさび部材を押し込んだ状態での接続エレメントの斜視的断面図。
【図５ｂ】くさび部材を引き出した状態での接続エレメントの斜視的断面図。
【図６】スリーブの変化例の斜視図。
【図７】ピン接点の変化例及びスリーブの変化例の斜視的断面図。
【図８】スリーブの別の変化例の斜視図。
【符号の説明】
１    ケーシング、  ２，３    ケーシング部分、  ５，６    切欠き、  ７開口、  ８    成形部、  ９    リング輪郭部、  １０    ピン接点、  １２    差込み区分、  １３，１３′    接続端部、  １４    輪郭部、  １５  歯面、  １６    ストッパ、  １７    区分、  １８    係止リング、  １９狭窄部、  ２０，２０′    スリーブ、  ２１    縦方向スリット、  ２２，２２′    側方ストリップ、  ２３    開口、  ２４，２４′    くさび開口、  ２５，２６    周壁区分、  ３１    開口、  ３２    薄片、  ３３    開口、  ３５    案内、  ３６    斜面、  ４０    くさび部材、  ４０′    先端部、  ４１    ウェブ、  ４２    くさび体、  ４３    くさび尖端、  ４４案内部、  ４５    端部片、  ４６    係止突起、  ４７    斜面、  ４８嵌合溝、  ５０    スリーブ、  ５１，５２    端部、  ５３    スリット、  ５４    ばねセグメント区分、  ５５    成形部
【図１】
0003713257.tif 000002
【図２】
0003713257.tif 000003
【図３】
0003713257.tif 000004
【図４】
0003713257.tif 000005
【図５ａ】
0003713257.tif 000006
【図５ｂ】
0003713257.tif 000007
【図６】
0003713257.tif 000008
【図７】
0003713257.tif 000009
【図８】
0003713257.tif 000010